(57)【要約】【課題】  ハードディスクのような大容量記録媒体から容量の小さい移動体記録媒体に、コンテンツをムーブさせる際に、コンテンツを高画質から低画質に圧縮変換してしまう場合、再度ハードディスクへ該コンテンツをムーブさせると、元の高画質に戻すことができない。【解決手段】  ハードディスクから移動体記録媒体にコンテンツをムーブさせる際に、該ハードディスクにて該コンテンツを消去せずに、利用不可能な状態にして残存させる一方、該移動体記録媒体にハードディスク内の該コンテンツを再度利用可能にするための鍵情報を記録することで、著作権の保護を確保するとともに、再度移動体記録媒体からハードディスクへコンテンツをムーブした場合に、元の高画質コンテンツに戻すことができるようにする。【選択図】  図１４
2006107165.tif 000002
【特許請求の範囲】
【請求項１】
移動元記録媒体に記録されているコンテンツを移動先記録媒体へコピーする際に、該コンテンツのコンテンツＩＤと、コピーコントロール情報と、前記移動先記録媒体のＩＤとを貸し出し一覧表として前記移動元記録媒体に記録するステップと、
前記コンテンツのコピーコントロール情報がコピーワンスの場合には、該コンテンツを前記移動元記録媒体から前記移動先記録媒体へコピーする際に、該移動元記録媒体に記録されているコンテンツを利用禁止状態にするとともに該移動先記録媒体の暗号鍵を用いて該コンテンツを暗号化するステップと、
前記移動先記録媒体にコピーされたコンテンツを前記移動元記録媒体へ返却する際に、該コンテンツのコンテンツＩＤと該移動先記録媒体のＩＤとを照合し、両者が一致する場合に該移動先記録媒体のコンテンツを利用禁止状態にするとともに該移動元記録媒体のコンテンツの利用禁止状態を解除するステップとを有することを特徴とするコンテンツのコピー管理方法。
【請求項２】
請求項１に記載されたコンテンツのコピー管理方法において、
前記コンテンツの利用を禁止する際に、前記移動元記録媒体のコンテンツ管理情報のコンテンツを指し示すアドレス情報を記憶するステップと、
前記アドレス情報を前記移動先記録媒体の暗号鍵を用いて暗号化するステップと、
前記アドレス情報を参照してコピーを行うステップとをさらに有することを特徴とするコンテンツのコピー管理方法。
【請求項３】
請求項２に記載されたコンテンツのコピー管理方法において、
前記コンテンツの利用禁止状態を解除する際に、前記移動先記録媒体に記録されたコンテンツＩＤと該移動先記録媒体のＩＤとを前記貸し出し一覧表の情報と照合し、これらの情報が一致した場合に該移動先記録媒体のコンテンツを該移動先記録媒体のＩＤを用いて暗号化するステップと、
前記暗号化されたアドレス情報を復号化するステップとをさらに有することを特徴とするコンテンツのコピー管理方法。
【請求項４】
請求項１に記載されたコンテンツのコピー管理方法において、
前記移動元記録媒体に記録されているコンテンツを前記移動先記録媒体へコピーする際に、該コンテンツの容量と平均ビットレートとを算出するステップと、
前記コンテンツの容量と平均ビットレートとを表示するステップと、
前記移動先記録媒体の空き容量を算出するステップと、
前記移動先記録媒体にコピーする際のコンテンツの圧縮方式を選択するステップと、
前記移動先記録媒体にコピーする際のコンテンツのビットレートを選択するステップと、
前記選択された圧縮方式とビットレートとに基づいて、前記移動元記録媒体のコンテンツを再圧縮するステップとをさらに有することを特徴とするコンテンツのコピー管理方法。
【請求項５】
請求項１に記載されたコンテンツのコピー管理方法において、
前記移動元記録媒体に記録されたコンテンツを前記移動先記録媒体にコピーする際に、貸し出し制限時間を設定するステップと、
前記貸し出し時間内に前記コンテンツが前記移動元記録媒体に返却されない場合には、該移動元記録媒体に記録されている利用禁止状態のコンテンツを削除するステップとをさらに有することを特徴とするコンテンツのコピー管理方法。
【請求項６】
請求項１に記載されたコンテンツのコピー管理方法において、
前記移動元記録媒体に記録されているコンテンツを前記移動先記録媒体にコピーする際に、前記コンテンツとともに貸し出し一覧表を暗号化してコピーするステップをさらに有することを特徴とするコンテンツのコピー管理方法。
【請求項７】
請求項１に記載されたコンテンツのコピー管理方法において、
前記移動元記録媒体のコンテンツを再圧縮する際に、予め画質の優劣を設定した圧縮方式とビットレートとの相関表を元に、前記移動元記録媒体のコンテンツ容量と、平均ビットレートと、前記移動先記録媒体の空き容量とから最適な圧縮方式及びビットレートを選択するステップと、
前記選択した圧縮方式及びビットレートに基づいて前記コンテンツを再圧縮するステップとをさらに有することを特徴とするコンテンツのコピー管理方法。
【請求項８】
請求項１に記載されたコンテンツのコピー管理方法において、
前記移動元記録媒体のコンテンツを再圧縮する際に、ユーザーが保有する他の記録再生装置の名前を画質一覧表に入力するステップと、
前記ユーザーが選択した圧縮方式及びビットレートの履歴を管理テーブルに保存するステップと、
前記管理テーブルに保存された履歴を前記ユーザーが使用している他の記録再生装置ごとに整理するステップと、
前記整理された情報を管理するテーブルを作成するステップとをさらに有することを特徴とするコンテンツのコピー管理方法。
【請求項９】
請求項１に記載されたコンテンツのコピー管理方法において、
前記移動元記録媒体のコンテンツが格納されている記録再生装置と、機器認証が可能なケーブルで接続された他の記録再生装置の名前と、再生可能な圧縮方式と、ビットレートとを取得するステップと、
前記取得した圧縮方式とビットレートとを管理する画質一覧表を作成するステップとをさらに有することを特徴とするコンテンツのコピー管理方法。
【請求項１０】
請求項１に記載されたコンテンツのコピー管理方法において、
前記移動元記録媒体に記録されているコピーワンス属性のコンテンツを前記移動先記録媒体へコピーする際に、前記移動元及び移動先記録媒体と異なる記録媒体の暗号鍵を用いて前記コンテンツを暗号化するステップと、
前記移動先記録媒体のコンテンツを前記移動元及び移動先記録媒体と異なる記録媒体のＩＤを用いて復号化するステップとをさらに有することを特徴とするコンテンツのコピー管理方法。
【請求項１１】
請求項１に記載されたコンテンツのコピー管理方法において、
前記コンテンツの予約録画を行う際に、該コンテンツを記録する記録媒体の空き容量を算出するステップと、
前記コンテンツを記録するのに必要な容量を算出するステップと、
前記貸し出し一覧表に存在するコンテンツの容量を照合するステップと、
前記貸し出し一覧表に存在するコンテンツを削除する必要がある場合に、前記ユーザーに返却の要請依頼を表示するステップとを有することを特徴とするコンテンツのコピー管理方法。
【発明の詳細な説明】
【技術分野】
【０００１】
本発明は、デジタルデータが記録されている媒体から他の媒体にそのデジタルデータをコピーするためのコンテンツのコピー管理方法に関するものである。
【背景技術】
【０００２】
近年、画像、音声及び映像データをデジタル的に記録する記録装置や記録媒体が普及してきている。このようなデジタルデータは元の画質や音質を維持したまま何度もコピーを繰り返すことができるので、コンテンツの著作権者や販売権者等の利益が侵害されるおそれがある。そのため、違法なコピーを防止するための様々な仕組みが導入されている。
【０００３】
例えば、地上デジタル放送やＢＳデジタル放送では、放送されたコンテンツを一度のみ記録可能とするコピーワンス機能が導入されている。ここで、各種デジタル放送を受信して記録装置にコピーワンス制限付きコンテンツを記録した場合には、「ムーブ」と呼ぶ機能を用いて、そのコンテンツを他の記録装置に移動することができるようになっている。
【０００４】
このように、従来のコンテンツのコピー管理方法では、コピーワンス制限付きコンテンツを一度のみ移動することを許可しているため、移動後のコンテンツを再び移動させることができず、そのコンテンツについては再生のみが可能となっている。
【０００５】
また、別のコピー管理方法として、コンテンツと、コンテンツＩＤと、そのコンテンツに対して著作権者からユーザーに与えるコピー権利数とを、そのコピー権利数と同じ数の仮想コンテンツファイルとしてユーザーに配信し、ユーザーがコンテンツを移動元の媒体からコピー先の媒体にコピーする場合に、そのコンテンツＩＤとコピー先の媒体に記録されているコンテンツＩＤとを照合するようにしたものがある。
【０００６】
具体的に、コンテンツＩＤが一致していない場合にはそのコンテンツをコンテンツＩＤ及びコピー権利数とともに移動し、コンテンツＩＤが一致する場合にはそのコンテンツを移動することなくコピー先の媒体のコンテンツのコピー権利数を増加させ、仮想コンテンツファイルを移動して移動元の媒体の仮想コンテンツファイルを消去するようにしている（例えば、特許文献１参照）。
【特許文献１】特開２００２−３５８２４２号公報
【発明の開示】
【発明が解決しようとする課題】
【０００７】
しかしながら、上述したムーブ機能を利用すると、移動元の記録装置に記録されていたコンテンツデータは消去されてしまうので、コピーワンス素材を記録媒体Ａ（例えばＨＤＤ）から該記録媒体Ａよりも容量の小さい記録媒体Ｂ（例えばＳＤ）へ何らかの方法（例えば再エンコード圧縮やトランスエンコード圧縮）で圧縮して移動させた後に再び記録媒体Ａに戻す場合、元のコンテンツデータに比べて画質が低下してしまうという問題がある。例えば、外出時に携帯機器でコンテンツを閲覧するために画質を落としてリムーバブルなメディアへムーブしてしまうと、二度と元の高画質でコンテンツを閲覧できないこととなり、ユーザーにとっては不利益となる。
【０００８】
また、著作権付きコンテンツをコピーする際に、仮想コンテンツファイルとしてコピー権利数をリムーバブルな媒体に配信すると、仮想コンテンツファイルの情報を偽造されるおそれがあり著作権者にとっては不利益となる。
【０００９】
本発明は、かかる点に鑑みてなされたものであり、その目的とするところは、記録した高画質コンテンツの再利用性を保ったままコンテンツの移動ができるようにすることにある。
【課題を解決するための手段】
【００１０】
本発明に係るコンテンツのコピー管理方法では、移動元記録媒体に記録されているコンテンツを移動先記録媒体へコピーする際に、該コンテンツのコンテンツＩＤと、コピーコントロール情報と、前記移動先記録媒体のＩＤとを貸し出し一覧表として前記移動元記録媒体に記録するステップと、
前記コンテンツのコピーコントロール情報がコピーワンスの場合には、該コンテンツを前記移動元記録媒体から前記移動先記録媒体へコピーする際に、該移動元記録媒体に記録されているコンテンツを利用禁止状態にするとともに該移動先記録媒体の暗号鍵を用いて該コンテンツを暗号化するステップと、
前記移動先記録媒体にコピーされたコンテンツを前記移動元記録媒体へ返却する際に、該コンテンツのコンテンツＩＤと該移動先記録媒体のＩＤとを照合し、両者が一致する場合に該移動先記録媒体のコンテンツを利用禁止状態にするとともに該移動元記録媒体のコンテンツの利用禁止状態を解除するステップとを有することを特徴とする。
【００１１】
従って、本発明によれば、画質劣化を伴うコンテンツのコピーの際に、画質一覧表を学習して表示しユーザーの画質を迷うことなく選択できるようにしている。また、コピーワンスコンテンツを記録媒体Ａから記録媒体Ｂにムーブさせる場合に、記録媒体Ｂにムーブ後も記録媒体Ａのデータは物理的には消去せず、記録媒体Ａの利用権利を消去し、記録媒体Ｂへ利用権利を追加すると同時に、コンテンツの貸し出し情報を記録媒体Ｂへ記録するのではなく機器に記憶し、記録媒体Ｂのメディアキー及びコンテンツＩＤと一致しない限り記録媒体Ａのコンテンツの利用を防止するようにして著作権者の権利を保護するようにした。
【発明の効果】
【００１２】
本発明のコンテンツのコピー管理方法によれば、コンテンツの画質の劣化を管理するとともにコンテンツの貸し出し管理を行うことによりムーブバックを行うことができる。さらに、著作権者の権利を保護するとともにユーザーの利便性を損なわずにコピーワンスコンテンツを管理することができる。
【００１３】
また、貸し出し中のコンテンツについては、単に機器でコンテンツを利用不可とするのではなく、アドレス情報を暗号化しているため、万が一機器から媒体を取り外されても解析されにくい仕組みになっており、コンテンツデータ全てを再暗号化するわけではないので、ユーザーの操作が中断することもない。
【００１４】
さらに、画質一覧表を作成及び保存することにより、再圧縮を伴うコピー処理を行う際にユーザーが迷うことなく画質を選択することができる。
【発明を実施するための最良の形態】
【００１５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１６】
本発明の実施形態におけるデジタル映像又は音声の記録機器では、コピーワンスコンテンツを媒体Ａから媒体Ｂへムーブ記録する際に、媒体Ａのコンテンツを削除するのではなく貸し出し（レンタル）する。すなわち、媒体Ａのコンテンツの利用を禁止する一方、媒体Ａのコンテンツ管理情報の対象コンテンツのアドレスを暗号化することにより、媒体Ａのコンテンツは、媒体Ｂにレンタルしたコンテンツが媒体Ａに返却（ムーブバック）されるまで、再生もムーブも不可能な状態に設定される。
【００１７】
図１は、本発明の実施形態におけるコピー管理方法を示す説明図である。ここで、図１（ａ）は、コピーワンスコンテンツＣＴが媒体Ａ（例えば、ＨＤＤ）に記録されていることを示している。
【００１８】
図１（ｂ）は、図１（ａ）の状態から、媒体Ａに記録されているコンテンツを媒体Ｂ（例えば、ＳＤ）に移動（以下、ムーブという）する場合を示している。この場合には、コンテンツが媒体Ａから媒体Ｂに貸し出し（レンタル）されることにより、媒体Ａには利用不可能なコンテンツデータが残る一方、媒体Ｂにはコンテンツが記録されることとなる。
【００１９】
図１（ｃ）は、図１（ｂ）の状態から、媒体Ｂに記録されているコンテンツを媒体Ａにムーブする場合を示している。この場合には、媒体Ａに対してコンテンツデータをムーブすることなく媒体Ａに残っていた利用不可能なコンテンツデータの利用禁止が解除される一方、媒体Ｂには利用不可能なコンテンツデータが残る。なお、コンテンツデータごと削除するようにしても構わない。
【００２０】
図１（ｄ）は、図１（ｃ）の状態から、媒体Ｂに記録されているコンテンツを媒体Ｃ（例えば、ＨＤＤ）にムーブする場合を示している。この場合には、媒体Ｂに記録されているコンテンツは利用不可能な状態となっているから、媒体Ｃへのコンテンツの移動が禁止され、著作権者の権利を保護することができる。
【００２１】
図２は、コンテンツを又貸し可能にするためのコピー管理方法を示している。ここで、図２（ａ）は、コピーワンスコンテンツが媒体Ａ（例えば、ＨＤＤ）に記録されていることを示している。
【００２２】
図２（ｂ）は、図２（ａ）の状態から、媒体Ａに記録されているコンテンツを媒体Ｂ（例えば、ＳＤ）にムーブする場合を示している。この場合には、コンテンツが媒体Ａから媒体Ｂにレンタルされることにより、媒体Ａには利用不可能なコンテンツデータが残る一方、媒体Ｂにはコンテンツが記録されることとなる。
【００２３】
このとき、媒体Ｂにはコンテンツをコピーワンス属性でムーブする一方、媒体Ａに残っている利用不可能としたコンテンツを保存する時間を設定する。この設定した時間内にコンテンツが返却されない場合には、そのコンテンツの削除を行うか、又はコンテンツとともに貸し出し管理データを暗号化して移動させる。
【００２４】
図２（ｃ）は、図２（ｂ）の状態から、媒体Ｂにムーブしたコンテンツを媒体Ｃ（例えば、ＨＤＤ）に対してさらにムーブする場合を示している。この場合には、媒体Ｂには利用不可能なコンテンツデータが残る一方、媒体Ｃにはコンテンツが記録される。
【００２５】
ここで、コンテンツを配信可能な親となり得る媒体Ｃが媒体Ｂからコピーワンス属性のコンテンツを受け取る場合には、媒体Ｂに残っている利用不可能としたコンテンツを保存する時間を設定してムーブする。この設定した時間内にコンテンツが返却されない場合には、媒体Ｂのコンテンツを削除して著作権を保護する。あるいは、コンテンツとともに貸し出し管理データを暗号化して移動させる。
【００２６】
図２（ｄ）は、図２（ｃ）の状態から、媒体Ｃに記録されているコンテンツを媒体Ｂにムーブする場合を示している。図２（ｃ）の状態から媒体Ｂのコンテンツを削除することなく利用不可とした場合には、媒体Ｂに対してコンテンツデータをムーブすることなく媒体Ｂに残っていた利用不可能なコンテンツデータの利用禁止が解除される一方、媒体Ｃには利用不可能なコンテンツデータが残る。さらに、先ほど設定された時間経過後に、媒体Ｃのコンテンツの削除を行うか、又は媒体Ｃを内蔵する機器の貸し出し管理データを暗号化して移動させる。
【００２７】
図２（ｅ）は、図２（ｄ）の状態から、媒体Ｂに記録されているコンテンツを媒体Ａにムーブする場合を示している。この場合には、媒体Ａに対してコンテンツデータをムーブすることなく媒体Ａに残っていた利用不可能なコンテンツデータの利用禁止が解除される一方、媒体Ｂには利用不可能なコンテンツが残る。なお、コンテンツデータごと削除するようにしても構わない。
【００２８】
上述した媒体Ａ〜Ｃを搭載した機器又は媒体Ａ〜Ｃ自身は、コンテンツをムーブする際には、互いにコンテンツの著作権をＣＰＲＭで定められている認証方式で認証する。
【００２９】
ここで、コンテンツのムーブ時には、そのコンテンツＩＤとムーブ先の媒体に記載されているコンテンツのＩＤとを照合し、一致しない場合にはそのコンテンツのコンテンツＩＤ及びコピー属性をネバーコピーとして移動し、移動元のコンテンツは消去する。
【００３０】
また、一致する場合には、又貸しを禁止するコピー管理方法（図１参照）においては、コピー属性をネバーコピーとして貸し出し管理情報を作成し、又貸しを許可するコピー管理方法（図２参照）においては、コピー属性をコピーワンスとして貸し出し管理情報に貸し出し期限を設定するか、又は貸し出し管理情報ごと媒体Ｂへ移動させるようにする。
【００３１】
ここで、前記コンテンツの移動の際には、移動元のコンテンツの利用権限をなくし、移動先の媒体における暗号鍵でコンテンツを暗号化して移動させる。
【００３２】
図３は、ユーザーがコンテンツを移動するときの形態を示す図である。図３において、ＤＶＲ１（Digital Video Recorder）は、図示しないＴＶ放送波を介して放送局から配信されるＣＧＭＳ（コピー世代管理）情報が伴うコンテンツを受信して、ＨＤＤ（又は記録型ＤＶＤ）に記録することができる。
【００３３】
前記ＣＧＭＳ情報がコピーワンス属性であるコンテンツは、ＤＶＲ１内で暗号化されてからＨＤＤに記録される。記録されたコンテンツは、ＤＶＲ１を介して画質を変更してリムーバブルなメディアである記録型ＤＶＤやＳＤメモリカードにムーブすることができる。
【００３４】
また、図３において、ＰＤはＳＤメモリカード等のリムーバブルなメディアの差込口を備えた携帯電話機であり、リムーバブルなメディアにムーブされたコンテンツを再生することができるようになっている。
【００３５】
本発明では、コンテンツを媒体Ａから媒体Ｂへコピー及びムーブする際に画質のレベルを管理してユーザーの操作を補助している。図４は、図１のコピー管理方法によるユーザーの画質選択を補助するためのデータ構造を示す説明図であり、図３に示すＤＶＲ１が出荷時にあらかじめ設定されて保存している機器ごとの機器一覧表の例を示している。なお、機器一覧表は、機器認証、過去のユーザー入力履歴、又は過去の認証履歴に基づいて作成されたものであってもよい。
【００３６】
前記機器一覧表は、機器製造メーカ名、機器名、再生可能な圧縮方式、再生可能な解像度、再生可能なビットレート、再生可能な可変か固定のビットレート割付種別、画質レベル等をデータとして含んでいる。
【００３７】
図５は、図３に示すＤＶＲ１が保存しているコンテンツ及び機器ごとの画質一覧表の例を示している。この機器一覧データは、コンテンツ名、機器名、容量、再生可能な圧縮方式、再生可能な解像度、再生可能なビットレート、再生可能な可変か固定のビットレート割付種別、画質レベル等を含んでいる。
【００３８】
図６〜図１１は、放送波を記録した装置の媒体Ａ（例えば、図３に示すＤＶＲ１内のＨＤＤ）から、装置（例えばＤＶＲ１）を介して媒体Ｂへコンテンツを移動させる処理を示している。
【００３９】
図６は、コンテンツの移動処理を全体的に示すフローチャート図である。図６に示すように、ステップＳ６００で、ユーザーが移動処理を実行する際に画質一覧表を作成するかのメッセージを表示する。次に、ステップＳ６０１で、ユーザーが画質一覧表を作成するかを判定する。ステップＳ６０１での判定が「ＮＯ」の場合には、ステップＳ６０７に分岐して、ステップＳ６０７で以前の画質一覧表を表示し、ステップＳ６０９に進む。
【００４０】
ステップＳ６０１での判定が「ＹＥＳ」の場合には、ステップＳ６０２に分岐して、ステップＳ６０２で、例えばＩＥＥＥ１３９４等で外部接続された機器が存在するかを検索する。
【００４１】
ステップＳ６０３で、前記ステップＳ６０２で検索した機器名が機器の出荷時などあらかじめ保存されている画質一覧表に存在するかを検索する。次に、ステップＳ６０４で、画質一覧表に機器名が存在するかを判定する。
【００４２】
ステップＳ６０４での判定が「ＹＥＳ」の場合には、ステップＳ６０６に分岐して、ステップＳ６０６で、接続機器認証によって画質一覧表を作成し、ステップＳ６０８に進む。
【００４３】
ステップＳ６０４での判定が「ＮＯ」の場合には、ステップＳ６０５に分岐して、ステップＳ６０５で、ユーザー入力によって画質一覧表を作成し、ステップＳ６０８に進む
ステップＳ６０８で、更新された画質一覧表を表示する。そして、ステップＳ６０９で、コピー先媒体の容量を確認し、ステップＳ６１０でコピーを行う。
【００４４】
図７は、図６に示すステップＳ６０５の詳細な処理を示すフローチャート図である。図７に示すように、ステップＳ７００で、コピー元機器は圧縮可能な画質一覧表を表示してユーザーの入力をアシストする。ユーザーはステップＳ７０１〜Ｓ７０７でムーブしたコンテンツを閲覧する機器（機器２）の名前、利用可能な圧縮方式、解像度、平均ビットレート、ビットレートを固定（ＣＢＲ）にするか可変（ＶＢＲ）にするかのビットレート割付、ユーザーが評価した画質レベル等を入力する。
【００４５】
ステップＳ７０８で、入力された情報を確定してもよいかどうかのメッセージを表示し、ステップＳ７０９で、入力された情報を確定するかを判定する。
【００４６】
ステップＳ７０９での判定が「ＮＯ」の場合には、ステップＳ７０１に分岐して処理を繰り返す。ステップＳ７０９での判定が「ＹＥＳ」の場合には、ステップＳ７１０に分岐して、ステップＳ７１０で、ステップＳ７０１〜Ｓ７０７で入力された情報を画質一覧表に保存する。
【００４７】
図８は、図６に示すステップＳ６０９におけるムーブ先の媒体の空き容量を確認する詳細な処理を示すフローチャート図である。図８に示すように、ステップＳ８００で、ムーブを行うコンテンツの容量（Ｃａｐａ１）をコンテンツの平均ビットレート、解像度、時間から算出する。
【００４８】
次に、ステップＳ８０１で、ムーブ先の媒体の空き容量（Ｃａｐａ２）を取得する。そして、ステップＳ８０２で、Ｃａｐａ２の容量の方がＣａｐａ２の容量よりも大きいかを判定する。
【００４９】
ステップＳ８０２での判定が「ＹＥＳ」の場合には、ステップＳ８０６に分岐する。ステップＳ８０２での判定が「ＮＯ」の場合には、ステップＳ８０３に分岐して、ステップＳ８０３で再圧縮するか否かの表示を出力し、ステップＳ８０４で再圧縮するかを判定する。
【００５０】
ステップＳ８０４での判定が「ＮＯ」の場合には、ステップＳ８０５に分岐して、ステップＳ８０５で、ムーブ先媒体にムーブできないというメッセージを表示してユーザーに注意を喚起し続ける。ステップＳ８０４での判定が「ＹＥＳ」の場合には、ステップＳ８０６に分岐して、ステップＳ８０６で画質選択ステップを行う。
【００５１】
図９は、図８に示すステップＳ８０６におけるユーザーがムーブを行う際に画質を選択するステップの詳細な処理を示すフローチャート図である。図９に示すように、ステップＳ９００で、ムーブ元のコンテンツの画質一覧表を表示する。
【００５２】
次に、ステップＳ９０１で、ムーブ先のコンテンツを再生する機器（機器２）を選択し、ステップＳ９０２で、この機器２が利用可能な画質一覧表を表示する。そして、ステップＳ９０３〜Ｓ９０６で、ユーザーが画質パラメータを設定する。
【００５３】
そして、ステップＳ９０７で、設定されたパラメータから再圧縮後の容量（Ｃａｐａ３）を算出し、ステップＳ９０８で、Ｃａｐａ３がムーブ先媒体の空き容量（Ｃａｐａ２）より小さいかを判定する。
【００５４】
ステップＳ９０８での判定が「ＮＯ」の場合には、ステップＳ９０１に分岐して再度処理を繰り返す。ステップＳ９０８での判定が「ＹＥＳ」の場合には、ステップＳ９０９に分岐し、ステップＳ９０９で、設定されたパラメータが一致するような設定が画質一覧表にあればその画質レベルを表示し、一致しなければプレビューを行いユーザーが画質レベルを入力しその画質レベルを表示する。
【００５５】
次に、ステップＳ９１０で、画質を決定するかどうかを判定する。ステップＳ９１０での判定が「ＮＯ」の場合には、ステップＳ９０１に分岐して再度処理を繰り返す。ステップＳ９１０での判定が「ＹＥＳ」の場合には、ステップＳ９１１に分岐して、ステップＳ９１１で、設定されたパラメータを履歴として画質一覧表に保存する。
【００５６】
図１０は、図６に示すステップＳ６１０におけるユーザーがムーブを行う際にコピー処理を行うステップの詳細な処理を示すフローチャート図である。ムーブ先の媒体Ｂが著作権保護技術（例えば、ＣＰＲＭ）に対応していない媒体へのコピーワンスコンテンツのコピー管理方法については後述するので、著作権保護に対応しているとして以下の説明を行う。
【００５７】
図１０に示すように、ステップＳ１０００で、ムーブを行うコンテンツのアドレス管理情報を機器に保存する。次に、ステップＳ１００１で、ムーブ元コンテンツを管理しているテーブルのムーブ対象コンテンツの利用を禁止するとともに、コンテンツのアドレス管理情報を暗号化する。このような暗号化は、例えば、図３に示すＤＶＲ１の機器固有の暗号鍵を用いて行うことができる。
【００５８】
次に、ステップＳ１００２で、ステップＳ１０００で記憶した情報を元に、ムーブを行うコンテンツを媒体Ｂのメディア暗号鍵を用いて暗号化しながらコピーする。この段階で、ユーザーが故意に媒体Ｂを機器から強制的に取り出したとしても、コピー元のコンテンツは利用不可になっているとともにコンテンツのアドレスが暗号化されているため、機器を分解して他の機器で解読しようとしても容易には解読できなくなっている。
【００５９】
ステップＳ１００３で、ムーブ元の媒体のコンテンツを削除するかどうかのメッセージを表示する。そして、ステップＳ１００４で、ムーブ元のコンテンツを削除するかを判定する。ステップＳ１００４での判定が「ＹＥＳ」の場合には、ステップＳ１００５に分岐して、ステップＳ１００５で、ステップＳ１０００で記憶したアドレスを元にコンテンツを削除し、アドレス管理情報を復号化して元に戻す。
【００６０】
ステップＳ１００４での判定が「ＮＯ」の場合には、ステップＳ１００６に分岐して、ステップＳ１００６で貸し出し一覧表を作成する。
【００６１】
図１１は、機器（例えば、図３に示すＤＶＲ１）の媒体Ａ（例えば、ＨＤＤ）からリムーバブルな媒体Ｂ（例えば、ＳＤ）に一度ムーブされたコンテンツを媒体Ａにムーブバックする際の詳細な処理を示すフローチャート図である。
【００６２】
図１１に示すように、ステップＳ１１００で、図１０に示すステップＳ１００６で作成した貸し出し一覧表とリムーバブルな媒体にムーブされたコンテンツのＩＤを認証する。この認証の結果、機器から過去にムーブされたコンテンツであれば、以後の処理を行う。
【００６３】
ステップＳ１１０１で、媒体Ｂに記録された対象コンテンツのアドレス管理情報を機器に記憶する。次に、ステップＳ１１０２で、媒体Ｂのアドレス管理情報を例えば媒体Ｂの固有暗号鍵を用いて暗号化する。
【００６４】
そして、ステップＳ１１０３で、図１０に示すステップＳ１００１で暗号化した媒体Ａのアドレス管理情報を復号化する。この段階では、ユーザーが故意に媒体Ｂを機器から強制的に取り出したとしても、ムーブバック元のコンテンツは利用不可になっているとともにコンテンツのアドレス情報が暗号化されているため、媒体Ｂを他の機器で解読しようとしても容易には解読できなくなっている。
【００６５】
次に、ステップＳ１１０４で、媒体Ｂに記憶されたコンテンツを削除するかどうかのメッセージを表示する。そして、ステップＳ１１０５で、このコンテンツを削除するかを判定する。ステップＳ１１０５での判定が「ＹＥＳ」の場合には、ステップＳ１１０６に分岐して、ステップＳ１１０６で媒体Ｂのコンテンツを削除し、媒体Ｂのアドレス情報を復号化する。
【００６６】
ステップＳ１１０５での判定が「ＮＯ」の場合にはそのまま処理を終了するため、媒体Ｂのコンテンツの属性は利用不可のままとなる。
【００６７】
図１３は、本発明の実施形態における記録再生装置の構成を示すブロック図である。図１３において、ＵＩ部（１３０２）からシステム制御部（１３０３）を介して録画コマンドを受け取ると、放送波の映像・音声入力信号（１３００）は入力部（１３０４）でコンテンツの著作権を判別し、エンコーダ部（１３０５）で圧縮され、ストリームバッファ部（１３０６）のバッファに一度蓄積される。
【００６８】
前記ストリームバッファ部（１３０６）に蓄積されたデータは、コンテンツの著作権に応じてコンテンツを暗号化し、一定容量ごとに例えばＨＤＤ等の内部記録媒体（１３０９）に記録される。
【００６９】
前記システム制御部（１３０３）は、図１２に示すような貸し出し管理表を作成し、コンテンツはタイトルごとに装置内の書き換え可能な記憶領域に保存される。
【００７０】
そして、前記ＵＩ部（１３０２）からシステム制御部（１３０３）を介して再生コマンドを受け取ると、コンテンツは内部記録媒体（１３０９）から読み出されストリームバッファ部（１３０６）のバッファに一度蓄積される。
【００７１】
前記ストリームバッファ部（１３０６）に蓄積されたデータは著作権に応じてコンテンツを復号化し、一定容量ごとにデコーダ部（１３０７）で伸張され、出力部（１３０８）でコンテンツの著作権に応じて著作権情報を設定し、映像・音声出力信号（１３０１）として外部に出力される。
【００７２】
ここで、外部機器の画質情報を取得する際には、ＩＥＥＥ１３９４部（１３１２）を介して図示しない外部機器のＩＥＥＥ１３９４部から外部機器の情報（例えば、機器名）をＩＥＥＥ１３９４データ（１３１３）として取得し、内部記録媒体（１３０９）に保存されている例えば図４に示すような機器一覧表とシステム制御部（１３０３）で照合し、例えば図５に示すような画質一覧表を作成する。
【００７３】
コピーを行う際には、図１２に示すような貸し出し管理表を作成し、内部記録媒体（１３０９）のコンテンツをストリームバッファ部（１３０６）で再暗号化し外部記録媒体（１３１０）へ記録する。録画予約やコンテンツの保存期間はタイマー部（１３１１）によって管理する。
【００７４】
ここで、再圧縮は、再生を行うことで出力部（１３０８）から出力される映像・音声出力信号（１３０１）を映像・音声入力信号（１３００）として再エンコード録画を行う。なお、システム制御部（１３０３）を用いてトランスエンコード圧縮を行ってもよい。
【００７５】
次に、前記コンテンツのコピー管理方法を有する記録再生装置でタイマー予約記録を行う場合について説明すると、まず、ユーザーは録画予約の際に録画開始時間と録画画質を設定する。ここで、タイマー録画予約が行われると、記録媒体の空き容量と、予約された番組を記録するのに必要な容量を算出し、空き容量の方が大きければ予約を受け付ける。
【００７６】
空き容量の方が小さい場合には、貸し出し管理情報を参照し、貸し出し中のコンテンツが存在する場合にはその容量を空き容量に加算し、記録に必要な容量と比較する。ここで、貸し出し中のコンテンツを削除すれば記録容量が足りる場合には、貸し出し中のコンテンツを返却するようにユーザーに注意を促す。
【００７７】
図１４は、コンテンツの暗号化の方法の一例を示す説明図である。通常、コンテンツを暗号化する際には、コンテンツを記録する媒体Ｂのメディア鍵とＩＤとを用いて暗号鍵を生成するが、ここではコンテンツを記録する媒体Ｂではなく他の媒体Ａのメディア鍵とＩＤとを用いて暗号鍵を生成する。このようにして暗号化を行ったコンテンツは、２つのメディアが同時に機器に存在しない限り利用することができなくなる。
【００７８】
また、媒体Ａとセットでなければ媒体Ｂのコンテンツを復号化することができないので、媒体Ｂのデータはデータコピーして媒体Ｃへバックアップすることができ、利用可能な組み合わせは唯一つとなるので、著作権者の権利を保護しつつ、ユーザーの私的な複製の権利を保証することができる。
【００７９】
さらには、媒体Ｂ（例えば、ＤＶＤ−Ｒ）が暗号鍵を持たない場合にも、媒体Ａの暗号鍵を用いてコンテンツを暗号化することができる。
【００８０】
以上のように、本発明の実施形態におけるコンテンツのコピー管理方法によれば、著作権者の権利を保護するとともにユーザーの利便性を損なわずにコピーワンスコンテンツを管理することができる。
【００８１】
また、貸し出し中のコンテンツについては、単に機器でコンテンツを利用不可とするのではなく、アドレス情報を暗号化しているため、万が一機器から媒体を取り外されても解析されにくい仕組みになっており、コンテンツデータ全てを再暗号化するわけではないので、ユーザーの操作が中断することもない。
【００８２】
さらに、画質一覧表を作成及び保存することにより、再圧縮を伴うコピー処理を行う際にユーザーが迷うことなく画質を選択することができる。
【産業上の利用可能性】
【００８３】
本発明のコンテンツのコピー管理方法は、デジタルコンテンツのコピー管理において、高画質で記録されたコピーワンス属性のコンテンツを容量の小さいリムーバブルな媒体へ低画質でムーブ記録した場合にも、元の高画質で記録したコンテンツを削除せず利用禁止とし、さらにはコンテンツの貸し出し管理を行うことでムーブバックを可能としているため、デジタルコンテンツを記録再生する装置として有用である。
【図面の簡単な説明】
【００８４】
【図１】本発明の実施形態に係るコピー管理方法を示す説明図である。
【図２】コンテンツを又貸し可能にするためのコピー管理方法を示す説明図である。
【図３】図１及び図２のコピー管理方法によるコピー形態を示す説明図である。
【図４】図１及び図２のコピー管理方法による機器の再生可能な画質一覧を管理する画質一覧表のデータ構造を示す説明図である。
【図５】図１及び図２のコピー管理方法による画質一覧を管理する画質一覧表のデータ構造を示す説明図である。
【図６】本発明に係るコピー管理方法によるコピー処理を説明するためのフローチャート図である。
【図７】本発明に係るコピー管理方法によるコピー処理を説明するためのフローチャート図である。
【図８】本発明に係るコピー管理方法によるコピー処理を説明するためのフローチャート図である。
【図９】本発明に係るコピー管理方法によるコピー処理を説明するためのフローチャート図である。
【図１０】本発明に係るコピー管理方法によるコピー処理を説明するためのフローチャート図である。
【図１１】本発明に係るコピー管理方法によるコピー処理を説明するためのフローチャート図である。
【図１２】本発明に係るコピー管理方法による貸し出し履歴とコンテンツを管理する貸し出し管理表のデータ構造を示す説明図である。
【図１３】本発明に係る記録再生装置を示すブロック図である。
【図１４】本発明に係るコンテンツの暗号化の方法を示す説明図である。
【符号の説明】
【００８５】
ＣＴ    コンテンツデータ
ＲＭ    リムーバブルメディア
ＰＤ    再生装置
【図１】
2006107165.tif 000003
【図２】
2006107165.tif 000004
【図３】
2006107165.tif 000005
【図４】
2006107165.tif 000006
【図５】
2006107165.tif 000007
【図６】
2006107165.tif 000008
【図７】
2006107165.tif 000009
【図８】
2006107165.tif 000010
【図９】
2006107165.tif 000011
【図１０】
2006107165.tif 000012
【図１１】
2006107165.tif 000013
【図１２】
2006107165.tif 000014
【図１３】
2006107165.tif 000015
【図１４】
2006107165.tif 000016